(57)【要約】【課題】  １つの表示画面を構成する映像の選択を容易に行える表示装置を提供する。【解決手段】  複数の映像信号に基づく複数の映像をそれぞれ表示範囲の一部に表示することで１つの表示画面として表示可能な表示装置であって、複数の前記映像信号をそれぞれ受信可能な複数の入力端子と、複数の前記映像をそれぞれ表示範囲の一部に表示可能な表示部と、ユーザ操作を受け付けるための操作画面を前記表示部に表示する操作表示部と、を有し、前記操作表示部は、１つの表示画面として表示する際の前記映像のレイアウトを選択させる選択画面を表示し、選択された前記レイアウトに応じて、前記入力端子に関する情報及びそれらの組み合わせの一部を選択可能に表示する入力選択画面を表示する。【選択図】  図１
2018025720.tif 000002
【特許請求の範囲】
【請求項１】
複数の映像信号に基づく複数の映像をそれぞれ表示範囲の一部に表示することで１つの表示画面として表示可能な表示装置であって、
複数の前記映像信号をそれぞれ受信可能な複数の入力端子と、
複数の前記映像をそれぞれ表示範囲の一部に表示可能な表示部と、
ユーザ操作を受け付けるための操作画面を前記表示部に表示する操作表示部と、
を有し、
前記操作表示部は、
１つの表示画面として表示する際の前記映像のレイアウトを選択させる選択画面を表示し、
選択された前記レイアウトに応じて、前記入力端子に関する情報及びそれらの組み合わせの一部を選択可能に表示する入力選択画面を表示することを特徴とする表示装置。
【請求項２】
前記操作表示部は、前記入力選択画面を表示する際、
選択された前記レイアウトに対応する前記入力端子に関する情報及びそれらの組み合わせを表示し、選択されなかった前記レイアウトに対応する前記入力端子に関する情報及びそれらの組み合わせを表示しない
ことを特徴とする請求項１に記載の表示装置。
【請求項３】
前記操作表示部は、前記入力選択画面を表示する際、
選択された前記レイアウトに対応する前記入力端子に関する情報及びそれらの組み合わせを選択可能に表示し、選択されなかった前記レイアウトに対応する前記入力端子に関する情報及びそれらの組み合わせを選択できないように表示する
ことを特徴とする請求項１に記載の表示装置。
【請求項４】
前記操作表示部は、前記選択画面を表示する際、
前記１つの表示画面として表示する際の前記映像の数を示す情報を表示する
ことを特徴とする請求項１乃至３の何れか一項に記載の表示装置。
【請求項５】
前記操作表示部は、前記選択画面を表示する際、
前記１つの表示画面として表示する際の前記映像の配置を示す情報を表示することを特徴とする請求項１乃至３の何れか一項に記載の表示装置。
【請求項６】
前記操作表示部は、前記選択画面と前記入力選択画面との両方を表示することを特徴とする請求項１乃至５の何れか一項に記載の表示装置。
【請求項７】
前記操作表示部は、前記選択画面と前記入力選択画面とを切り替えて表示することを特徴とする請求項１乃至６の何れか一項に記載の表示装置。
【請求項８】
前記操作画面は、ＯＳＤ画像であることを特徴とする請求項１乃至７の何れか一項に記載の表示装置。
【請求項９】
前記表示装置を制御する制御部を有し、
前記制御部は、外部装置に前記表示装置が受信可能な前記映像信号の種別を示す情報を通知可能で、選択された前記レイアウトに応じて、前記映像信号の種別を示す情報を変更することを特徴とする請求項１乃至８の何れか一項に記載の表示装置。
【請求項１０】
複数の映像信号をそれぞれ受信可能な複数の入力端子と、複数の映像信号に基づく複数の映像をそれぞれ表示範囲の一部に表示可能な表示部と、ユーザ操作を受け付けるための操作画面を前記表示部に表示する操作表示部とを有する表示装置のコンピュータを動作させるコンピュータプログラムであって、
前記コンピュータに、
１つの表示画面として表示する際の前記映像のレイアウトを選択させる選択画面を表示させ、選択された前記レイアウトに応じて、前記入力端子に関する情報及びそれらの組み合わせの一部を選択可能に表示する入力選択画面を表示させる
ことを特徴とする表示装置制御プログラム。
【発明の詳細な説明】
【技術分野】
【０００１】
本発明は、複数の映像を組み合わせ１つの表示画面として表示することが可能な表示装置に関するものである。
【背景技術】
【０００２】
近年、表示装置の高解像度化が進んでいる。この高解像度の表示装置に表示させる映像は、複数の信号により入力する方式と、単一の信号により入力する方式がある。
【０００３】
高解像度でビット深度やフレームレートの高い映像は必要な転送レートが高いため、複数の信号により入力する方式が選択される。一方、高解像度でもビット深度やフレームレートの低い映像は前述の映像より必要な転送レートが低いため、単一の信号により入力する方式が選択される。
【０００４】
このように２つの方式があり、表示する映像の入力を選択させる際、レイアウト（複数の映像信号で１つの表示画面を構成するのか、１つの映像信号で１つの表示画面を構成するのか）を含めて選択させる必要がある。
【０００５】
従来、１つの映像信号で１つの表示画面を表示する表示装置では、入力端子をリスト表示し選択させていた。これを高解像度の表示装置に適用すると、複数の映像信号で１つの表示画面を構成する際と１つの映像信号で１つの表示画面を表示する際の入力端子を表示することになる。従って入力端子を選択させる際の選択肢が多くなり、故に入力端子のリスト表示が長大となり、所望の選択に時間がかかるなど、その選択が煩雑となっていた。
【０００６】
また、解像度の高い表示領域を有効に使用するため、複数の映像信号を表示画面上で２画面として表示する、所謂Ｐｉｃｔｕｒｅ  ｉｎ  Ｐｉｃｔｕｒｅ等の表示が可能な表示装置も登場している。例えば特許文献１には、１画面表示モードと２画面表示モードを有する表示装置が開示されている。また特許文献２には、２画面表示モードの際、表示する２つの映像信号を同時に選択させる選択方式が開示されている。
【先行技術文献】
【特許文献】
【０００７】
【特許文献１】特開２０１１−８１１８８号公報
【特許文献２】特開２０１２−８３４８４号公報
【発明の概要】
【発明が解決しようとする課題】
【０００８】
しかしながら、特許文献１に開示された従来技術では、１画面表示と２画面表示の切り替えを行っているだけで、前述のレイアウトを含めた選択の煩雑性を解消することはできない。また、特許文献２に開示された従来技術では、２画面表示モードにおいて表示する映像信号の組み合わせを選択できるが、特許文献１と同様に前述のレイアウトを含めた選択の煩雑性を解消することはできない。
【０００９】
そこで、本発明の目的は、１つの表示画面を構成する映像の選択を容易に行える表示装置を提供することである。
【課題を解決するための手段】
【００１０】
上記目的を達成するために、本発明は、複数の映像信号に基づく複数の映像をそれぞれ表示範囲の一部に表示することで１つの表示画面として表示可能な表示装置であって、  複数の前記映像信号をそれぞれ受信可能な複数の入力端子と、複数の前記映像をそれぞれ表示範囲の一部に表示可能な表示部と、ユーザ操作を受け付けるための操作画面を前記表示部に表示する操作表示部と、を有し、前記操作表示部は、１つの表示画面として表示する際の前記映像のレイアウトを選択させる選択画面を表示し、選択された前記レイアウトに応じて、前記入力端子に関する情報及びそれらの組み合わせの一部を選択可能に表示する入力選択画面を表示することを特徴とする。
【発明の効果】
【００１１】
本発明によれば、１つの表示画面を構成する映像の選択を容易に行える表示装置を提供することができる。
【図面の簡単な説明】
【００１２】
【図１】本発明の表示装置の概略構成図
【図２】表示装置と外部装置の概略接続図
【図３】リモコン説明図
【図４】複数の映像信号を１画面として構成する概念図
【図５】従来の入力映像選択画面の一例
【図６】実施例１の選択画面と入力映像選択画面の一例
【図７】実施例１のフローチャート
【図８】実施例１の選択画面と入力映像選択画面の他の一例
【図９】実施例２の選択画面と入力映像選択画面の一例
【図１０】実施例２のフローチャート
【図１１】実施例２の選択画面と入力映像選択画面の他の一例
【発明を実施するための形態】
【００１３】
以下に、本発明の好ましい実施の形態を、添付の図面に基づいて詳細に説明する。
【実施例１】
【００１４】
本発明の実施例１について図１乃至８を用いて説明する。
【００１５】
図１は本発明を実施例１における表示装置の概略構成図である。本実施例では、表示装置としてプロジェクターを例に説明する。
【００１６】
制御部１０３は、ＣＰＵ、記憶部、Ｉ／Ｏ、二次記憶部を備えており、表示装置１０１のシーケンス制御、周辺デバイス制御、データ記憶制御、通信制御、その他必要な制御を行う。
【００１７】
映像入力端子１０４から１０７は、それぞれ外部装置からの映像信号が入力される。映像信号は、例えば、ＤＶＩ（ＤｉｇｉｔａｌＶｉｓｕａｌＩｎｔｅｒｆａｃｅ）、ＨＤＭＩ（登録商標）、ＤｉｓｐｌａｙＰｏｒｔ（登録商標）、アナログＲＧＢ、などの信号である。本実施例では４つの映像入力端子を装備した場合を示しているが、２つ以上の入力端子を装備していれば、本発明の効果を得ることができる。
【００１８】
また、映像入力端子１０４から１０７はすべて共通の映像入力端子（例えばＨＤＭＩ）、それぞれ異なる映像入力端子（例えば、１０４と１０５がＤＶＩ、１０６がＨＤＭＩ、１０７がＤｉｓｐｌａｙＰｏｒｔ）であってもよい。
【００１９】
さらに、表示装置が受信可能な映像信号種別を示す情報であるＥＤＩＤを、各映像入力端子から外部装置に通知可能である。ＥＤＩＤは、制御部１０３の記憶部に複数のセットが記憶されており、必要に応じて変更することができる。
【００２０】
本実施例では特に図示していないが、映像入力端子に入力されるそれぞれの映像方式に応じたデコーダーも備えている。
【００２１】
セレクタ１０８は、制御部１０３からの制御信号に基づいて、複数の映像信号から所定の本数の映像信号を選択する。
【００２２】
画像処理部１０９は、制御部１０３からの制御信号に基づいて、映像信号に基づく映像に対して解像度変換や色調整、輪郭調整、フレームレート変換、アスペクト変換、ＩＰ変換などの画像処理や、複数の映像信号を表示する際の画面配置を行う。
【００２３】
ＯＳＤ重畳部（操作表示部）１１０は、制御部１０３からの制御信号に基づいて、ユーザ操作メニュー等のＯＳＤ画像を生成し、画像処理部１０９で処理された映像に重畳する。
【００２４】
表示駆動部１１１は、画像処理部１０９で処理された映像信号に基づいて、ＲＧＢの各色それぞれに対応する表示部１１２ａ〜１１２ｃを駆動するための駆動信号を生成する。なお表示部１１２ａ〜１１２ｃは、反射型液晶デバイス、透過型液晶デバイス、ＤｉｇｉｔａｌＭｉｒｒｏｒＤｅｖｉｃｅなどの光変調素子である。本実施例ではＲＧＢの各色それぞれに対応する表示部を用いたが、単一の表示部を用い、時間方向に高速で色を切り替えて表示する光変調素子を用いても、本発明の効果を得ることができる。
【００２５】
光源１１３から出射した光は、光学系（不図示）によって、ＲＧＢの各色に分光され、表示部１１２ａ〜１１２ｃにそれぞれ導かれる。表示部１１２ａ〜１１２ｃに導かれた光は、液晶パネル１１２ａ〜１１２ｃで光変調され、レンズ部１１４により画角調整、焦点調整、投影位置調整（レンズシフト）を行い、スクリーン等の投影面１０２に投影される。各調整は、手動調整、モーターを用いた電動調整のどちらでもよい。
【００２６】
操作部１１５は、表示装置本体の備えられた操作パネル（不図示）や図３に示すリモコンの何れか、またはその両方を示している。図３に示すように、リモコン２０１には電源ボタン２０２やメニューボタン２０３、インプットボタン２０４（入力切り替えボタン）、メニュー操作のためのボタン２０５〜２０９（上下左右の各ボタン、ＯＫボタン）を持つ。操作パネルも同様の操作可能なボタンがある。
【００２７】
図２は、表示装置１０１と外部装置１２０を接続した様子を示している。表示装置１０１と外部装置１２０を４本の映像信号線で接続している。もちろん４本に限定するものではなく、前述したように２本以上であれば本発明は有効である。
【００２８】
図２のように接続され１つ以上の映像信号に基づく映像を１つの表示画面として表示する場合、映像と表示画面の構成例について図４に示す。
【００２９】
図４（ａ）は、１本の信号線で映像信号が伝送された場合で、１つの映像を１つの表示画面として表示する。１本の信号線で伝送可能な映像フォーマットであれば、複数の映像信号線を使用することなく１つの表示画面として表示可能である。
【００３０】
図４（ｂ）は、２本の信号線で映像信号が伝送された場合で、信号線１本あたりの伝送可能な２倍までの映像フォーマットを扱える。ここでは１つの表示画面が左右に分割された例を示している。左右に分割されたそれぞれの映像信号が外部装置１２０から送出され、表示装置１０１に入力される。入力された２つの映像信号に基づく映像は、図４（ｂ）に示すように表示装置１０１でそれぞれの表示範囲として表示画面の左側、表示画面の右側に表示（結合）され、１つの表示画面として表示することができる。もちろん、表示画面が上下に分割された映像信号が外部装置１２０から送出されても、同様に１つの表示画面として表示可能である。
【００３１】
図４（ｃ）は、４本の信号線で映像信号が伝送された場合で、信号線１本あたりの伝送可能な４倍までの映像フォーマットを扱える。ここでは１つの表示画面が２×２に分割（タイル構成）された例を示している。２×２に分割されたそれぞれの映像信号が外部装置１２０から送出され、表示装置１０１に入力される。入力された４つの映像信号に基づく映像は、図４（ｃ）に示すように表示装置１０１で結合され、１つの表示画面として表示することができる。
【００３２】
図４（ｄ）は、図４（ｃ）と同様に４本の信号線で映像信号が伝送された場合の他の例である。ここでは１つの表示画面が左右方向（水平方向）に４分割（ストライプ構成）された例を示している。左右方向に４分割されたそれぞれの映像信号が外部装置１２０から送出され、表示装置１０１に入力される。入力された４つの映像信号に基づく映像は、図４（ｄ）に示すように表示装置１０１で結合され、１つの表示画面として表示することができる。もちろん表示画面が上下方向（垂直方向）に４分割された映像信号が外部装置１２０から送出されても、同様に１つの表示画面として表示可能である。
【００３３】
従来、入力端子を選択させる入力選択画面（インプットＯＳＤ）は、図５に示すように入力端子名、または入力端子に入力される信号種名をリスト表示し、ユーザに選択させていた。１本の信号線で映像信号が伝送され、１つの映像を１つの表示画面として表示する表示装置の場合、このような入力選択画面で十分であった。
【００３４】
しかし、本発明の表示装置では、複数の信号線で１つの表示画面が伝送される場合と、１つの信号線で１つの表示画面が伝送される場合がある。従って、入力選択をさせる際、１つの表示画面に何本の信号線を使用するか、さらに複数の信号線を使用する場合、１つの表示画面がどのようにレイアウトされているか、を含めて選択させる必要がある。図５に示す形態で表示させると、レイアウトも含めてリスト表示することになるため、そのリストが長大となり、所望の選択に時間がかかるなど、その選択が煩雑となってしまう。
【００３５】
そこで本発明では、図６の６０２に示すような１画面を構成する映像信号に基づく映像の数とその配置（以下レイアウトともいう）を選択させる選択画面を表示し、選択されたレイアウトに応じて、入力選択画面の表示を変更する。
【００３６】
図６を用いて詳細に説明する。以下に説明する操作画面は、制御部１０３の制御信号に基づいて、ＯＳＤ重畳部１１０が、ＯＳＤ画像を生成し、画像処理部１０９で処理された映像信号に重畳し表示する。本実施例では、ＨＤＭＩ信号の入力端子が、ＨＤＭＩ１〜ＨＤＭＩ４の４つあるものとして説明する。
【００３７】
６０１は、表示しているメニュー画面の概要を表示する。ここでは入力端子を選択させるためのメニューであることを示す「インプット」と表示する。
【００３８】
６０２は、１画面を構成するレイアウトを選択させる選択画面である。図中の“１”、“２”“４ｓ”“４ｔ”の文字は１画面を構成する映像信号の数、アルファベットはストライプ構成やタイル構成などの配置に関する情報を示している。現在、この選択画面が操作対象であることが分かるように、６０２はグレーバックで表示する。ここでは、グレーバックで表示しているが、例えば別の色や、マーカーを表示させるなど選択対象であることが分かればどのような表示でもよい。
【００３９】
図６（ａ）は、“１”が選択されている状態で、１画面を構成する映像信号の数が１つであることを示している。入力選択画面は６０３に示すように、選択されたレイアウトに対応する、ＨＤＭＩ１〜ＨＤＭＩ４の入力端子を選択させることができるように、ＨＤＭＩ１、ＨＤＭＩ２、ＨＤＭＩ３、ＨＤＭＩ４（入力端子に関する情報）を表示する。ここでは、選択されなかったレイアウトに対応する、後述のＨＤＭＩ１＋ＨＤＭＩ２、ＨＤＭＩ３＋ＨＤＭＩ４、ＨＤＭＩ１＋ＨＤＭＩ２＋ＨＤＭＩ３＋ＨＤＭＩ４の組み合わせは表示しない。
【００４０】
図６（ｂ）は、“２”が選択されている状態で、１画面を構成する映像信号の数が２つであることを示している。入力選択画面は６０４に示すように、選択されたレイアウトに対応する、ＨＤＭＩ１＋ＨＤＭＩ２のグループと、ＨＤＭＩ３＋ＨＤＭＩ４のグループを表示し、グループ単位に入力端子を選択させることができるように表示する。ここでは、選択されなかったレイアウトに対応する、前述のＨＤＭＩ１〜ＨＤＭＩ４の組み合わせや、後述のＨＤＭＩ１＋ＨＤＭＩ２＋ＨＤＭＩ３＋ＨＤＭＩ４の組み合わせは表示しない。
【００４１】
図６（ｃ）は、“４ｓ”が選択されている状態で、１画面を構成する映像信号の数が４つであり、ストライプ構成であることを示している。入力選択画面は６０５に示すように、選択されたレイアウトに対応する、ＨＤＭＩ１＋ＨＤＭＩ２＋ＨＤＭＩ３＋ＨＤＭＩ４のグループのみを表示する。ここでは、選択されなかったレイアウトに対応する、前述のＨＤＭＩ１〜ＨＤＭＩ４、ＨＤＭＩ１＋ＨＤＭＩ２、ＨＤＭＩ３＋ＨＤＭＩ４の組み合わせは表示しない。
【００４２】
図６（ｄ）は、“４ｔ”が選択されている状態で、１画面を構成する映像信号の数が４つであり、タイル構成であることを示している。入力選択画面は６０６に示すように、選択されたレイアウトに対応する、ＨＤＭＩ１＋ＨＤＭＩ２＋ＨＤＭＩ３＋ＨＤＭＩ４のグループのみを表示する。ここでは、選択されなかったレイアウトに対応する、前述のＨＤＭＩ１〜ＨＤＭＩ４、ＨＤＭＩ１＋ＨＤＭＩ２、ＨＤＭＩ３＋ＨＤＭＩ４の組み合わせは表示しない。
【００４３】
リモコン２０１などの左右ボタンが押されたことを制御部１０３が認識すると、図６（ａ）、（ｂ）、（ｃ）、（ｄ）に示すように、選択画面の●印を移動した表示にする。その選択結果に応じて入力選択画面を、図６の６０３〜６０６に示すように入力端子に関する情報及びそれらの組み合わせの一部を選択可能に表示する。入力選択画面は、制御部１０３が選択画面で決定ボタンまたは下ボタンが押されたことを認識し、操作対象を入力選択画面に切り替えたときに入力選択画面の表示を変化させてもよい。
【００４４】
また、本実施例では、入力選択画面を、選択されたレイアウトに対応する入力端子に関する情報及びそれらの組み合わせを表示し、選択されなかったレイアウトに対応する入力端子に関する情報及びそれらの組み合わせを非表示とした。しかし、選択可能と不可能なことが分かればよい。例えば、図６（ｉ）に示すように、選択されなかったレイアウトに対応する入力端子に関する情報及びそれらの組み合わせをグレーアウトの表示とすることで、選択できないことが分かるようにしてもよい。さらに、図６（ｊ）に示すように、リスト表示する際、選択可能な入力端子に関する情報及びそれらの組み合わせから順に表示し、リスト上位に選択可能な入力端子、リスト下位に選択できない入力端子に関する情報及びそれらの組み合わせを表示してもよい。
【００４５】
なお、レイアウトに関する情報である６０２の“１”や“２”“４ｓ”“４ｔ”は、レイアウトが分かる情報であればよい。例えば、図８に示すように、レイアウトを模したアイコン表示にしてもよい。さらに、●印を移動する方式に代え、タブ形状やページ切り替えを模した構成でも同様の効果を得られる。図８の８０１と図６の６０２は同じ内容を通知している。
【００４６】
次に図７のフローチャートを用いて、本実施例の制御部１０７の動作を説明する。この処理は、制御部１０７がコンピュータプログラム（表示装置制御プログラム）に従って実行する。以下に説明する各ボタンはリモコン２０１または不図示の操作パネルの各ボタンとして説明する。
【００４７】
Ｓ７０１では、インプットボタンが押されたか否かを確認する。インプットボタンが押された場合、ＯＳＤ重畳部１１０を制御し、インプットメニュー画面の概要（図６の６０１）、選択画面（図６の６０２）、入力選択画面（図６の６０３〜６０６の何れか）を表示させる。インプットボタンが押されていない場合、再度、Ｓ７０１に戻る。
【００４８】
ステップ７０２では、選択画面の選択操作が行われたかを判定する。左ボタンまたは右ボタンが押された場合、選択画面の操作が行われたと判定し、Ｓ７０６へ遷移する。ＯＫボタンが押された場合、Ｓ７０３へ遷移する。メニューボタンまたはインプットボタンが押された場合、ステップ７０５へ遷移する。
【００４９】
ステップ７０６では、選択画面の操作が行われたと判定したため、押されたボタンに応じて、ＯＳＤ重畳部１１０を制御し、選択画面の表示を図６（ａ）〜（ｄ）の各６０２に示すように変更させる。例えば、図６（ａ）を表示させている状態から右ボタンが押されたことを認識する度、図６（ｂ）、図６（ｃ）、図６（ｄ）の順に表示させる。また、図６（ｄ）を表示させている状態から左ボタンが押されたことを認識する度、図６（ｃ）、図６（ｂ）、図６（ａ）の順に表示させる。
【００５０】
さらに、選択画面で選択された結果に応じて、ＯＳＤ重畳部１１０を制御し、入力選択画面の表示を図６の６０３〜６０６に示すように変更させる。
【００５１】
ここで、ＯＫボタンが押された場合、ステップ７０７へ遷移する。
【００５２】
ステップ７０７では、選択画面で選択された結果に応じて、ＥＤＩＤを変更し、ステップ７０３へ遷移する。
【００５３】
ステップ７０３では、入力選択画面の選択操作が行われたかを判定する。上ボタンまたは下ボタンが押された場合、入力選択画面の操作が行われたと判定し、Ｓ７０４へ遷移する。ＯＫボタンが押された場合、Ｓ７０２へ遷移する。メニューボタンまたはインプットボタンが押された場合、Ｓ７０５へ遷移する。
【００５４】
ステップ７０４では、入力選択画面の操作が行われたと判定したため、押されたボタンに応じて、ＯＳＤ重畳部１１０を制御し、入力選択画面の表示を変更させる。例えば、選択画面で“１”が選択されていた場合、図６（ｅ）表示させている状態から、下ボタンが押されたことを認識する度、図６（ｆ）、図６（ｇ）、図６（ｈ）の順に表示させる。また、図６（ｈ）を表示させている状態から上ボタンが押されたことを認識する度、図６（ｇ）、図６（ｆ）、図６（ｅ）の順に表示させる。
【００５５】
また、選択された入力端子からの映像信号が有効となるように、セレクタ１０８を制御する。
【００５６】
ここで、ＯＫボタンが押された場合、ステップ７０２へ遷移する。
【００５７】
ステップ７０５は、ＯＳＤ重畳部１１０を制御し、インプットメニュー画面の表示を消去する。
【００５８】
以上説明したように、１つの表示画面として表示する際の映像のレイアウトを選択させる選択画面を表示し、選択されたレイアウトに応じて、入力選択画面を入力端子及びそれらの組み合わせの一部を選択可能に表示する。これにより、１つの表示画面を構成する映像の選択を容易に行うことができる。
【実施例２】
【００５９】
本発明の実施例２について、図９乃至図１１を用いて説明する。実施例２における映像信号処理装置は実施例１と同様の構成であり、適宜説明を省略する。
【００６０】
実施例１との相違点は、選択画面と入力選択面を切り替えて表示する点である。
【００６１】
図９を用いて詳細に説明する。以下に説明する操作画面は、制御部１０３の制御信号に基づいて、ＯＳＤ重畳部１１０が、ＯＳＤ画像を生成し、画像処理部１０９で処理された映像信号に重畳し表示する。本実施例では実施例１と同様に、ＨＤＭＩ信号の入力端子が、ＨＤＭＩ１〜ＨＤＭＩ４の４つあるものとして説明する。
【００６２】
図９（ａ）の９０１は選択画面への遷移ボタンの役割を持つ。制御部１０３は、９０１が選択された状態でＯＫボタンが押されたことを認識すると、図９（ｂ）に示す選択画面を表示する。９０２は、表示しているメニュー画面の概要を表示する。ここでは１画面を構成する映像信号の数とそのレイアウトを選択させるためのメニューであることを示す「レイアウト選択」と表示する。
【００６３】
図９（ｂ）に示す選択画面は、１画面を構成する映像信号の数とそのレイアウトをリスト式のメニューで表示する。図６の選択画面と同様に、１画面を構成する映像信号の数とそのレイアウトを選択させることができる。また、図１１に示すようにアイコン表示にしてもよい。
【００６４】
次に図１０のフローチャートを用いて、本実施例の制御部１０７の動作を説明する。この処理は、制御部１０７がコンピュータプログラム（表示装置制御プログラム）に従って実行する。以下に説明する各ボタンはリモコン２０１または不図示の操作パネルの各ボタンとして説明する。実施例１との相違点は、Ｓ１００１、Ｓ１００２が付加された点である。また、第１の実施例と同じ符号の説明は省略する。
【００６５】
ステップ７０２では、選択画面への遷移の選択が行われたかを判定する。ＯＫボタンが押された場合、選択画面への遷移の選択が行われたと判定し、Ｓ１００１へ遷移する。インプットボタンが押された場合、Ｓ７０３へ遷移する。メニューボタンが押された場合、ステップ７０５へ遷移する。
【００６６】
ステップ１００１では、ＯＳＤ重畳部１１０を制御し、図９（ｂ）に示す選択画面を表示させる。
【００６７】
ステップ７０６では、上ボタンまたは下ボタンが押される度に、ＯＳＤ重畳部１１０を制御し、選択されていることを示すグレーバックの表示を順次切り替えて表示させる。ここで、ＯＫボタンが押された場合、“戻る”をグレーバックの表示にさせる。さらにＯＫボタンが押された場合、ステップ１００２へ遷移する。
【００６８】
ステップ１００２は、１画面を構成する映像信号の数とそのレイアウトの選択情報を、制御部１０３の不図示の記憶部に記憶させる。
【００６９】
ステップ７０３は、ステップ１００２で記憶させた選択結果に応じて入力選択画面を変更し表示させる。図９（ａ）は選択画面で“１”が選択された場合の表示、図９（ｃ）は選択画面で“２”が選択された場合の表示の例である。
【００７０】
以上説明したように、１つの表示画面として表示する際の映像のレイアウトを選択させる選択画面を表示し、選択されたレイアウトに応じて、入力選択画面を入力端子及びそれらの組み合わせの一部を選択可能に表示する。これにより、１つの表示画面を構成する映像の選択を容易に行うことができる。
【００７１】
以上、本発明の好ましい実施形態について説明したが、本発明はこれらの実施形態に限定されず、その要旨の範囲内で種々の変形及び変更が可能である。
【００７２】
本実施例では、表示装置としてプロジェクターを例に説明したが、表示デバイスやその方式を制限するものではなく、例えば、液晶ディスプレイなどの直視型表示装置であってもよい。
【００７３】
また、入力端子として、ＵＳＢ（ＵｎｉｖｅｒｓａｌＳｅｒｉａｌＢｕｓ）やＬＡＮ回線を用いて映像信号を入力しても、本発明の効果を得ることができる。
【符号の説明】
【００７４】
１０１  表示装置
１０３  制御部
１０４  第一の映像入力端子
１０５  第二の映像入力端子
１０６  第三の映像入力端子
１０７  第四の映像入力端子
１１０  ＯＳＤ重畳部
１１２  表示部
【図１】
2018025720.tif 000003
【図２】
2018025720.tif 000004
【図３】
2018025720.tif 000005
【図４】
2018025720.tif 000006
【図５】
2018025720.tif 000007
【図６】
2018025720.tif 000008
【図７】
2018025720.tif 000009
【図８】
2018025720.tif 000010
【図９】
2018025720.tif 000011
【図１０】
2018025720.tif 000012
【図１１】
2018025720.tif 000013